(57)【要約】【課題】商品を取り出すために回動板を前傾させたときに、商品を安定的に保持できる商品陳列具を提供する。【解決手段】本商品を前後方向に整列して収容する前面開口の収容体１に、商品を開口側に押圧する押圧手段を設け、収容体１の開口に、商品の前面を規制する前傾可能な回動板を設け、該回動板の両側端の上部に、後方側へ突出する側壁１３を設ける。【選択図】図１
0003097398.tif 000002
【実用新案登録請求の範囲】
【請求項１】
商品を前後方向に整列して収容する前面開口の収容体に、商品を開口側に押圧する押圧手段が設けられ、前記収容体の開口に、商品の前面を規制する前傾可能な回動板が設けられ、該回動板の両側端に、後方側へ突出する側壁が設けられたことを特徴とする商品陳列具。
【請求項２】
前記側壁は、前記回動板の上部に設けられたことを特徴とする請求項１記載の商品陳列具。
【考案の詳細な説明】
【０００１】
【考案の属する技術分野】
本考案は、スーパーマーケット、コンビニエンスストアー等の店内に、商品を陳列するために設置される商品陳列具に関する。
【０００２】
【従来の技術】
店内の商品陳列棚にはたくさんの商品が陳列され、陳列スペースを確保するために、前後方向にも陳列されている。しかしながら、商品は手前のほうから売れていくため、次に商品を取ろうとする場合に、商品が後方（奥）にあり、取り出しにくい。
【０００３】
そこで、商品を前に押し出す機能を備えた商品陳列具が、実開平５−７４３５６号公報に記載されている。該公報記載の商品陳列具は、箱状のケース本体に引き出し自在に収納トレーが設けられ、収納トレーには収納室が設けられる。収納室には、商品を押圧する押圧板がスライド自在に設けられ、この押圧板に対し、前方に向けてばね力を付勢するばね部材が設けてある。押圧板がばね力により商品を後方から前方に向けて押圧するので、手前の商品が取り出されても後方の商品が前に押し出されるので、常に商品が前方に位置し、取り出しやすくなる。
【０００４】
また、さらに商品を取り出しやすくするため、収納トレー（収容体）の前面を開口させ、開口に前傾可能な回動板を設け、回動板と共に商品を前傾させることにより、商品を取り出しやすくした商品陳列具がある。
【０００５】
【考案が解決しようとする課題】
しかしながら、回動板と共に商品を前傾させたときに、回動板と収容体の側壁との間にできた隙間の側方から、商品が落下するなど商品の安定性に困難を伴っていた。
【０００６】
そこで、本考案は、回動板の前傾と共に商品を前傾させたときに、商品を安定的に保持できる商品陳列具を提供することを目的とする。
【０００７】
【課題を解決するための手段】
上記目的を達成するために、本考案は、たばこ等の商品を前後方向に整列して収容する前面開口の収容体に、商品を開口側（前方側）に押圧する押圧手段が設けられ、前記収容体の開口に、商品の前面を規制する前傾可能な回動板が設けられ、該回動板の両側端に、後方側へ突出する側壁が設けられたことを特徴とする商品陳列具である。
【０００８】
収容体は、前面が開口された容器であれば、上面や後面が開放されていてもよい。商品を前後方向に整列させる手段としては、収容体の側壁間の距離を商品の横幅と略同一とさせてもよいし、収容体内に新たに内壁を設け、内壁間の距離を商品の横幅と略同一となるようにしてもよい。収容体内（又は内壁間）に前後方向に商品を並べることにより、商品を前後方向に整列させることができる。
【０００９】
押圧手段は、商品を前面開口側に押圧する作用を有するものであれば、特に限定されるものではない。例えば、コンストンばね（登録商標、以下省略する）の巻取力を利用する手段であってもよいし、圧縮ばねや引っ張りばね等のばねの圧縮力や引っ張り力を利用した手段であってもよい。
【００１０】
回動板は、押圧手段により開口側に押圧される商品が開口より落下しないように規制するために、収容体の開口面に対向して設けられたものであり、収容体に前傾可能に設けられる。前傾とは、回動板の上端が収容体から離れ、回動板の下端が収容体に近づく方向に傾くということである。
【００１１】
回動板の両側端には、後方側（押圧手段側）へ突出する側壁が設けられる。回動板の前傾に伴い、一番手前の商品が傾き、商品が収容体開口より飛び出した状態となるが、回動板の両側端に設けられた側壁により、商品を挟持することができる。したがって、商品の側方へのぐらつき及び飛び出しを防止することができ、回動板前傾時の商品の安定性を保つことができる。
【００１２】
側壁は、回動板の側端の全部（上端から下端まで）に設けてもよいが、商品のぐらつきの防止は商品の上方を固定すれば十分に効果的なので、回動板の上部に設ければよい。
【００１３】
なお、本商品陳列具は、商品としてたばこを陳列するのに限定されるものではなく、他の食品、生活用品等の種々の商品に適用可能である。
【００１４】
【考案の実施の形態】
以下、本考案の実施形態を図面に基づいて説明する。図１は本商品陳列具の右側面図、図２は同じく正面図、図３は同じく平面図、図４はＡ−Ａ断面図、図５は回動板を前傾させた状態を示す図、図６（ａ）及び図６（ｂ）は本商品陳列具の使用状態を示す図である。
【００１５】
本商品陳列具は、商品を収容する前面開口の収容体１と、収容体１内に設けられ、商品を開口側に押圧する押圧手段と、収容体１の開口に設けられる回動板とから構成される。
【００１６】
収容体１は、収容体底板１ａと、収容体底板１ａの左右端に立設された収容体側壁１ｂと、収容体底板１ａの後端に立設された収容体後壁１ｃとから構成される。収容体側壁１ｂ間の距離は、商品の横幅と略同一とされる。商品を収容したときに、商品の横方向へのぐらつきを防止でき、商品を前後方向に整列させることができる。
【００１７】
収容体底板１ａには、前後方向に長い２つの穴が形成され、その穴は、押圧手段が前後方向に移動するための案内路２とされる。収容体底板１ａの案内路２間の部分は、他の部分よりも下方に突出した段差部３とされる。収容体底板１ａは、案内路２よりも前方側に、後述する押圧手段のコンストンばね８の一端が挿通する挿通開口４が形成される。また、収容体側壁１ｂの前端の上部に、後述する回動板の係合部１３ｃと係合する軸部５が形成され、その軸部５よりも後方側に側方側へ突出した回転板利用のストッパー６が形成される。
【００１８】
押圧手段は、商品に当接して商品を押圧する押圧板７と、押圧板７が商品を押圧する原動力となるコンストンばね８と、押圧板の背面に固定され、コンストンばね８を収容するばね収容室９とから構成される。押圧板７は、収容体１の横幅と略同一横幅の板状に形成されるが、収容される商品を押圧して摺動移動させることができる形状であれば、限定されるものではない。
【００１９】
ばね収容室９は、ばね収容室側壁９ａと、ばね収容室後壁９ｂと、ばね収容室底板９ｃとから構成され、それらが押圧板７の背面に固定される。押圧板７、ばね収容室側壁９ａ、ばね収容室後壁９ｂ及びばね収容室底板９ｃで囲まれる空間にコンストンばね８が収容される。ばね収容室底板９ｃには、その底面から突出して、収容体底板１ａの案内路２を挿通し、その先端が側方側に折曲することにより、収容体底板１ａに係合する掛止体１０が２つ形成される。このように、この掛止体１０が案内路２を通して収容体底板１ａに係合することにより、押圧板７は案内路２に沿って、収容体１の前後方向にスライド自在に固定される。また、ばね収容室底板９ｃの前端に開口が形成され、該開口は、ばね収容室９に収容されるコンストンばね８の一端をばね収容室９外に突出させるばね出し口１１とされる。
【００２０】
コンストンばね８は、巻き取る力が常に一定な、金属製の薄板帯状の渦巻きばねである。コンストンばね８は、収容体１のばね収容室９に収納され、ばね収容室底板９ｃのばね出し口１１から一端を出し、収容体底板１ａの挿通開口４を通って、収容体底板１ａの底面前端に固定される。このように、コンストンばね８の一端が収容体１の前端に固定され、コンストンばね８の他端側はばね収容室９に収納されるので、コンストンばね８の巻き取り力により、ばね収容室９の前方側に位置する押圧板７が前方に付勢される。
【００２１】
なお、上記実施形態では、押圧板７が商品を押圧する原動力として、コンストンばね８を使用したが、商品を開口側に押圧する力を有するものであれば限定されるものではない。例えば、圧縮ばねや引っ張りばねが例示される。圧縮ばねの場合は、圧縮ばねの一端を押圧板７の後面に固定し、他端を収容体後壁１ｃに固定すれば、圧縮バネの圧縮力により、押圧板７を前方に付勢することができる。引っ張りばねの場合は、引っ張りばねの一端を押圧板７の前面に固定し、他端を収容体１開口側に固定すれば、押圧板７を前方に付勢することができる。
【００２２】
回動板は、収容体１の開口と対向して設けられる回動板本体１２と、その両側端から後方側に突出形成される側壁１３とから構成される。回動板は、収容体１よりもその肉厚分、幅広に形成され、回動板の側壁１３が外側から収容体側壁１ｂに覆い重なって固定される。また、回動板は、回動板本体１２と収容体１の前端との間に隙間が開くように固定される。この回動板本体１２と収容体１の前端との隙間があることにより、回動板を前傾させることができる。
【００２３】
回動板本体１２は、収容体１の下端から上方の所定の位置までの部分と対向する部分に設けられる。なお、所定の位置とは、回動板本体１２が、収容体１内に収容される商品を前方側に落下させないように規制できる程度の高さである。また、回動板本体１２の前面の下部には、袋状のカード入れ１４が形成される。カード入れ１４に商品名等のカードを収納して、商品名を掲示することができる。
【００２４】
側壁１３は、回動板の上端から収容体側壁１ｂの上端よりも下の位置まで設けられる。ここで、側壁１３について、収容体側壁１ｂの上端よりも上方の部分を側壁上部１３ａとし、それよりも下方の部分を側壁下部１３ｂとする。側壁下部１３ｂの後方側には、収容体側壁１ｂの軸部５に係合するかぎ状の係合部１３ｃが形成される。また、側壁下部１３ｂの後方端は、下方にいくにつれて、前方側に位置するように湾曲した湾曲部１３ｄとされる。湾曲部１３ｄの後方端が、収容体側壁のストッパー６に当接することにより、回動板の前傾が止まる。
【００２５】
側壁上部１３ａは、収容される商品の前後幅と略同一の寸法だけ、後方側に延長して設けられている。これにより、側壁上部１３ａは、商品の側方を確実に挟持ことができるので、商品の安定性が増す。
【００２６】
以上の構成によると、ばね収容室底板９ｃの底面の掛止体１０が、収容体底板１ａの案内路２に掛止されることにより、押圧板７は、案内路２に沿って収容体１の前後方向にスライド可能とされる。このとき、案内路２の間の段差部３は、下方に陥没してるので、押圧板７やばね収容室９の底面と摺接しないですむ。そして、ばね収容室９に収容されると共に一端が収容体１前端に固定されたコンストンばね８の巻き取り力により、押圧板７体は前方側に付勢される。したがって、押圧板７と回動板との間に商品を整列しておけば、商品は開口側に向かって押圧される。商品は、開口に設けられた回動板本体１２により、開口前面側に落下しない。
【００２７】
使用者が商品を取り出す場合には、回動板の下部を後方側に押すか、一番手前の商品の上方を前方側に引き出すようにする。すると、回動板は、側壁１３の係合部１３ｃと収容体側壁１ｂの軸部５との係合点を軸として前傾する。回動板は、側壁下部１３ｂの湾曲部１３ｄの後方端が収容体側壁１ｂのストッパー６に当接するまで前傾する。回動板が前傾して商品と押圧板との間に隙間ができるので、商品を取り出しやすい。また、商品を斜めに取り出すことができるので、陳列棚の上下方向のスペースを小さくすることができる。このとき、回動板の両側端から側壁１３が突出しているので、回動板と押圧板７との間の隙間により、商品が側方にぐらついたり、側方から落下したりすることを防止できる。したがって、回動板前傾時の商品の設置の安定性を保持することができる。
【００２８】
【考案の効果】
以上の説明から明らかな通り、本考案に係る包装用枠は、回動板の両側端に、後方側へ突出する側壁が設けられるので、回動板の前傾に伴い、一番手前の商品が傾き、商品が収容体より飛び出した状態となるが、側壁により、収容体の側方へのぐらつき及び飛び出しを防止することができる。したがって、回動板を前傾させたときの商品の安定性を保つことができる。
【図面の簡単な説明】
【図１】本商品陳列具の右側面図
【図２】同じく正面図
【図３】同じく平面図
【図４】Ａ−Ａ断面図
【図５】回動板を前傾させた状態を示す図
【図６】（ａ）は、本商品陳列具に商品を収納した状態を示す図
（ｂ）は、回動板を前傾させた状態を示す図
【符号の説明】
１　　収容体
５　　軸部
６　　ストッパー
７　　押圧板
８　　コンストンばね
９　　ばね収容室
１１　回動板本体
１３　側壁
【図１】
0003097398.tif 000003
【図２】
0003097398.tif 000004
【図３】
0003097398.tif 000005
【図４】
0003097398.tif 000006
【図５】
0003097398.tif 000007
【図６】
0003097398.tif 000008